(57)【要約】【課題】  ダイヤル錠とシリンダー錠を兼ね備えることにより、使用者にダイヤル錠による解錠またはシリンダー錠による解錠を選択させることを可能にするファスナー用ロックを提供する。【解決手段】  基座、第一施錠機構、第二施錠機構、二つの弾性ユニット、回転ユニット、ダイヤル錠とシリンダー錠を備える。第一施錠機構は移動可能なように基座に装着され、かつ第一施錠部を有し、第一施錠部は第一施錠機構の移動に伴い基座のそのうちの一つのロック溝に入り込むかそれと離れることが可能である。第二施錠機構は移動可能なように基座に装着され、かつ第二施錠部を有し、第二施錠部は第二施錠機構の移動に伴い基座のそのうちの一つのロック溝に入り込むかそれと離れることが可能である。【選択図】    図１
0003133879.tif 000002
【実用新案登録請求の範囲】
【請求項１】
二つのロック溝を有する基座と、
移動可能なように基座に装着され、かつ第一施錠部を有し、第一施錠部は基座のそのうちの一つのロック溝に入り込むかそれと離れることが可能である第一施錠機構と、
移動可能なように基座に装着され、かつ第二施錠部を有し、第二施錠部は基座のそのうちの一つのロック溝に入り込むかそれと離れることが可能である第二施錠機構と、
別々に第一施錠機構と第二施錠に突き当たるように装着される二つの弾性ユニットと、
第一位置と第二位置の間を回転可能なように基座に装着される回転ユニットであって、回転ユニットが第一位置に据えられる場合、ストッパーは第一施錠機構と第二施機構を遮断し、また回転ユニットが第二位置に据えられる場合、ストッパーは第一施錠機構と第二施錠機構から分離する回転ユニットと、
基座に装着され、かつ複数の数字輪と数字輪に連接されるアクティブプレートを有し、そのうちの数字輪は嵌合溝を有し、アクティブプレートは複数の嵌合部と第一クラッチを有するダイヤル錠であって、ダイヤル錠が解錠状態を呈する場合、嵌合部は嵌合溝に嵌合され、第一クラッチは回転ユニットを押し付け、回転ユニットは第一位置から第二位置へ回転し、またダイヤル錠が施錠状態を呈する場合、嵌合部は嵌合溝から分離し、第一クラッチは回転ユニットを押し付けることがないダイヤル錠と、
解錠位置と施錠位置の間を回転可能なように基座に装着され、かつ第二クラッチを有するシリンダー錠であって、シリンダー錠が解錠位置に据えられる場合、第二クラッチは回転ユニットを押し付け、またシリンダー錠が施錠位置に据えられる場合、第二クラッチは回転ユニットを押し付けることがないシリンダー錠と、
を備えることを特徴とするファスナー用ロック。
【請求項２】
ダイヤル錠のアクティブプレートの第一クラッチは、斜面を有し、斜面は回転ユニットに突き当たるため、回転ユニットを第一位置から第二位置へ回転させることが可能であることを特徴とする請求項１に記載のファスナー用ロック。
【請求項３】
シリンダー錠の第二クラッチは、斜面を有し、斜面は回転ユニットに突き当たるため、回転ユニットを第一位置から第二位置へ回転させることが可能であることを特徴とする請求項１に記載のファスナー用ロック。
【請求項４】
回転ユニットは、ハウジングに連接される接続部と、接続部に連接されるストッパーと、翼部と、接続部と翼部に連接される連接部を有し、第一クラッチは回転ユニットの連接部に突き当たり、第二クラッチは回転ユニットの翼部に突き当たることを特徴とする請求項１に記載のファスナー用ロック。
【考案の詳細な説明】
【技術分野】
【０００１】
本考案は、ファスナー用ロック、特に強制解錠可能なファスナー用ロックに関するものである。
【背景技術】
【０００２】
一般のファスナー付きスーツケースまたはバックなどは、通常ファスナー用ロックを取り付け、ファスナーの二枚のプルタブをロックすることにより他人がファスナーを開けてスーツケースを開けることを防止する。
【０００３】
しかし、従来のファスナー用ロックは複数の数字輪を有するため、ファスナーを開けるには使用者が特定の数字を入力しなければならない。しかし、使用者が解錠番号を忘れてしまうと、ファスナーを開けることも、スーツケース内の物品を取り出すこともできないため、スーツケースを修理に出すか、別の手間が掛かる方法に頼る必要がある。従って、従来のファスナー用ロックは設計の面では使用に不便な点があるだけでなく非常に使用者を困らせる。
【考案の開示】
【考案が解決しようとする課題】
【０００４】
本考案の主な目的は、ダイヤル錠とシリンダー錠を兼ね備えることにより、使用者にダイヤル錠による解錠またはシリンダー錠による解錠を選択させることを可能にするファスナー用ロックを提供することである。
【課題を解決するための手段】
【０００５】
上述の目的を達成するために、本考案によるファスナー用ロックは、基座、第一施錠機構、第二施錠機構、二つの弾性ユニット、回転ユニット、ダイヤル錠とシリンダー錠を備える。基座は二つのロック溝を有する。第一施錠機構は移動可能なように基座に装着され、かつ第一施錠部を有し、第一施錠部は第一施錠機構の移動に伴い基座のそのうちの一つのロック溝に入り込むかそれと離れることが可能である。第二施錠機構は移動可能なように基座に装着され、かつ第二施錠部を有し、第二施錠部は第二施錠機構の移動に伴い基座のそのうちの一つのロック溝に入り込むかそれと離れることが可能である。二つの弾性ユニットは別々に第一施錠機構と第二施錠に突き当たるように装着される。回転ユニットは第一位置と第二位置の間を回転可能なように基座に装着される。回転ユニットが第一位置に据えられる場合、ストッパーは第一施錠機構と第二施機構を遮断するため、第一施錠機構と第二施錠機構は基座に対し移動することができず、第一施錠部と第二施錠部は二つのロック溝に入り込む。回転ユニットが第二位置に据えられる場合、ストッパーは第一施錠機構と第二施錠機構から分離するため、第一施錠機構と第二施錠機構は基座に対し移動することが可能であり、第一施錠部と第二施錠部は外力作用を受けて二つのロック溝から押し出される。
【０００６】
ダイヤル錠は基座に装着され、かつ複数の数字輪と数字輪に連接されるアクティブプレートを有し、そのうちの数字輪は嵌合溝を有し、アクティブプレートは複数の嵌合部と第一クラッチを有する。ダイヤル錠が解錠状態を呈する場合、嵌合部は嵌合溝に嵌合され、第一クラッチは回転ユニットを押し付けながら回転ユニットを第一位置から第二位置へ回転させる。またダイヤル錠が施錠状態を呈する場合、嵌合部は嵌合溝から分離し、第一クラッチは回転ユニットを押し付けることがない。シリンダー錠は解錠位置と施錠位置の間を回転可能なように基座に装着され、かつ第二クラッチを有する。
シリンダー錠が解錠位置に据えられる場合、第二クラッチは回転ユニットを押し付けながら回転ユニットを第一位置から第二位置へ回転させる。またシリンダー錠が施錠位置に据えられる場合、第二クラッチは回転ユニットを押し付けることがない。
上述の通り、使用者は本考案によりダイヤル錠による解錠を選択することができるだけでなく、シリンダー錠による解錠を選択することができる。従って本考案は使用上の利便性を向上させることができる。
【考案を実施するための最良の形態】
【０００７】
以下、本考案の一実施例を図面に基づいて説明する。
図２に示すのは本考案の一実施例によるファスナー用ロック１０である。ファスナー用ロック１０は、基座２０（図1に示す通り）、第一施錠機構３０、第一弾性ユニット４０、第二施錠機構５０、第二弾性ユニット６０、回転ユニット７０、ダイヤル錠８０とシリンダー錠９０を備える。
【０００８】
基座２０は、ハウジング２１と底板２２を有し、底板２２はハウジング２１の底部に装着されるため、ハウジング２１と底板２２の間に収容室２３を形成することが可能である。ハウジング２１は一側面に収容室２３に繋がる二つのロック溝２１２を有するため、ファスナー（図中未表示）のプルタブ（図中未表示）をロックすることが可能であり、またハウジング２１の別の側面に収容室に繋がる三つの穿孔（図中未表示）を有する。またハウジング２１は頂面に収容室２３に繋がる鍵穴２１４を有する。またハウジング２１は底部にロック溝２１２の周縁から下向きに延伸して形成される環状壁２４、２５を有し、環状壁２４、２５は欠け口２４２、２５２を有する。またハウジング２１は底部に環状壁２５の欠け口２５２に向かい合う制止壁２６と制止壁２６に近い突柱２７を有する。
【０００９】
第一施錠機構３０は、基座２０の収容室２３に装着される。かつ第一施錠機構３０は第一ブロック３２を有し、第一ブロック３２は別々に両側面から外側へ延伸して形成される第一施錠部３４と第一突出部３６を有し、そのうちの第一施錠部３４は環状壁２４の欠け口２４２を通って環状壁２４の内周壁に突き当たるように設けられるため、図４に示すように、第一施錠部３４はロック溝２１２に入り込むことが可能である。また第一施錠部３４は前端に斜面３４２を有する。
【００１０】
第一弾性ユニット４０は、一端が第一施錠機構３０の第一突出部３６に被さり、かつ第一施錠機構３０の第一ブロック３２に突き当たり、他端が環状壁２５の外周壁に突き当たるように装着される。
【００１１】
第二施錠機構５０は、第一施錠機構３０の下方に位置するように基座２０の収容室２３に装着される。かつ第二施錠機構５０は第二ブロック５２を有し、第二ブロック５２は別々に両側面から外側へ延伸して形成される第二施錠部５４と第二突出部５６を有し、そのうちの第一施錠部５４は環状壁２５の欠け口２５２を通って環状壁２５の内周壁に突き当たるように設けられるため、図４に示すように、第二施錠部５４はロック溝２１２に入り込むことが可能である。また第二施錠部５４は前端に斜面５４２を有する。
【００１２】
第二弾性ユニット６０は、一端が第二施錠機構５０の第二突出部５６に被さり、かつ第二施錠機構５０の第二ブロック５２に突き当たり、他端がハウジング２１の制止壁２６に突き当たるように装着される。
【００１３】
回転ユニット７０は、接続部７１を有し、接続部７１はハウジング２１の突柱２７に嵌る接続孔７１２を有するため、回転ユニット７０は突柱２７を円心として回転することが可能である。また回転ユニット７０は捩れスプリング７２を有するため、回転ユニット７０は捩れスプリング７２の弾力作用により第一位置と第二位置の間を回転することが可能である。また回転ユニット７０は接続部７１に連接されるストッパー７３、翼部７４と別々に翼部７４と接続部７１に連接される連接部７５を有する。回転ユニット７０が第一位置に据えられる場合、図４に示すようにストッパー７３は第一施錠機構３０と第二施機構５０を遮断するため、第一施錠機構３０と第二施錠機構５０は基座２０に対し移動することができない。回転ユニット７０が第二位置に据えられる場合、図３に示すようにストッパー７３は第一施錠機構３０と第二施錠機構５０から分離するため、第一施錠機構３０と第二施錠機構５０は基座２０に対し移動することが可能である。
【００１４】
ダイヤル錠８０は、ハウジング２０の収容室２３中に装着される。かつダイヤル錠８０は三つの数字輪８１と一つのアクティブプレート８２を有し、そのうちの数字輪８１は回転盤８３、係止リング８４と第三弾性ユニット８５を有する。回転盤８３は使用者に使用させるようにハウジング２１の穿孔から外部に露出するように装着される。係止リング８４は回転盤７３の下方に装着され、かつ嵌合溝８４２を有する。第三弾性ユニット８５は両端が別々に係止リング８４の底部と底板２２に突き当たるように装着される。アクティブプレート８２は係止リング８２を設置するための三つの陥凹部８２２と陥凹部８２２の周壁に突出する三つの嵌合部８２４を有する。またアクティブプレート８２は第一クラッチ８２６を有し、第一クラッチ８２６は第一斜面８２８を有する。また第三弾性ユニット８５は両端が別々にアクティブプレート８２とハウジング２１に突き当たるように装着される。
【００１５】
シリンダー錠９０は、ハウジング２１の鍵穴２１４中に装着される。シリンダー錠９０は頂面に鍵を差し込んで解錠位置と施錠位置の間を回転させるための鍵穴９２を有する。またシリンダー上９０は底面に第二クラッチ９４を有し、第二クラッチ９４は第二斜面９４２を有する。
【００１６】
使用者が本実施例を解錠する場合、数字輪８１を正確な数字に回すことによりダイヤル錠８０を解錠状態に据える。この時、図３に示すように係止リング８４の嵌合溝８４２はアクティブプレート８２の嵌合部８２４に向かい合い、アクティブプレート８２は第三弾力ユニット８５の推力により数字輪８１の方向へ移動し、アクティブプレート８２の嵌合部８２４は係止リング８４の嵌合溝８４２中に嵌合される。かつアクティブプレート８２の第一クラッチ８２６は第一斜面８２８を介して回転ユニット７０の連接部７５を押し付けることにより回転ユニット７０を第一位置から第二位置へ回転させる。これにより回転ユニット７０のストッパー７３は第一施錠機構３０と第二施錠機構５０から分離することが可能である。従って、ファスナーの二枚のプルタブは第一施錠部３４と第二施錠部５４の斜面３４２、５４２を介して第一施錠部３４と第二施錠部５４を押し付けることにより第一施錠機構３０と第二施錠機構５０をシリンダー錠９０の方向へ移動させ、それらを二つのロック溝２１２中に送り込むことが可能となる。この時、第一施錠機構３０と第二施錠機構５０は別々に第一弾性ユニット４０と第二弾性ユニット６０の推力を受け、第一施錠部３４と第二施錠部５４を別々に二枚のプルタブの係止孔（図中未表示）に差し込む。従って使用者が数字輪８１を回しさえすれば、係止リング８２の嵌合溝８４２とアクティブプレート８２の嵌合部８２４とを分離させ、係止リング８２によりアクティブプレート８２を押し付け、第一クラッチ８２６を回転ユニット７０の連接部７５から分離させることが可能である。この時、回転ユニット７０は捩れスプリング７２の作用により第一位置に復元され、第一施錠機構３０と第二施錠機構５０はストッパー７３から遮蔽されるため移動できず、図４に示すように、ファスナーの二枚のプルタブは二つのロック溝２１２中にロックされるため離脱することができない。
【００１７】
図５に示すように使用者がダイヤル錠８０の数字を忘れてしまう場合、シリンダー錠９０の鍵穴９２に鍵を入れて施錠位置から解錠位置に回せば、シリンダー錠９０の第二クラッチ９４は第二斜面９４２を介して回転ユニット７０の翼部７４を押し付けることにより回転ユニット７０を第一位置から第二位置へ回転させ、回転ユニット７０のストッパー７３を第一施錠機構３０と第二施錠機構５０から分離させることが可能である。これにより、第一施錠機構３０と第二施錠機構５０は基座２０に対し移動することが可能となり、二つのプルタブは二つのロック溝２１２から離脱することが可能となる。
【００１８】
上述の通り、本考案の上記実施形態によると、使用者にダイヤル錠による解錠またはシリンダー錠による解錠などの選択肢を提供するため、使用上の便利性を確実に増加させることが可能である。
【図面の簡単な説明】
【００１９】
【図１】本考案の一実施例によるファスナー用ロックを示す斜視図である。
【図２】本考案の一実施例によるファスナー用ロックを示す分解図である。
【図３】本考案の一実施例によるファスナー用ロックを示すもので、底板を取り外し、ダイヤル錠が解錠状態を呈する底面図である。
【図４】本考案の一実施例によるファスナー用ロックを示すもので、施錠状態を呈するダイヤル錠を示す模式図である。
【図５】本考案の一実施例によるファスナー用ロックを示すもので、シリンダー錠が解錠位置に据えられる状態を呈する模式図である。
【符号の説明】
【００２０】
１０：ファスナー用ロック、２０：基座、２１：ハウジング、２２：ロック溝、２１４：鍵穴、２２：底板、２３：収容室、２４、２５：環状壁、２４２、２５２：欠け口、２６：制止部、２７：突柱、３０：第一施錠機構、３２：第一ブロック、３４：第一施錠部、３６：第一突出部、３４２：斜面、４０：第一弾性ユニット、５０：第二施錠機構、５２：第二ブロック、５４：第二施錠部、５４２：斜面、  ５６：第二突出部、６０：第二弾性ユニット、７０：回転ユニット、７１：接続部、７１２：接続孔、７２：捩れスプリング、７３：ストッパー、７４：翼部、７５：連接部、８０：ダイヤル錠、８１：数字輪、８２：アクティブプレート、８２２：陥凹部、８２４：嵌合部、８２６：第一クラッチ、８２８：第一斜面、８３：回転盤、８４：係止リング、８４２：嵌合溝、８５：第三弾性ユニット、９０：シリンダー錠、９２：鍵穴、９４：第二クラッチ、９４２：第二斜面
【図１】
0003133879.tif 000003
【図２】
0003133879.tif 000004
【図３】
0003133879.tif 000005
【図４】
0003133879.tif 000006
【図５】
0003133879.tif 000007